(57)【要約】【課題】回転体の潤滑不良を防止し、長期間に亘って回転体を安定して回転させることが可能な回転体支持装置、およびこれを備えた電子機器、並びに前記回転体、前記回転体を支持するシャフトを提供する。【解決手段】駆動伝達部７は、駆動伝達ギア７０とシャフト部７１とを備える。駆動伝達ギア７０はシャフト部７１に回転可能に支持される。シャフト部７１は、駆動伝達ギア７０の挿入部７０Ｃに挿入される。駆動伝達ギア７０の第１内周部７０１および第２内周部７０２は、シャフト部７１の第１シャフト部７１１および第２シャフト部７１２に支持される。シャフト部７１の第１シャフト部７１１と第２シャフト部７１２との間には、テーパ部７１３が配置される。第１内周部７０１とテーパ部７１３との間には、潤滑剤を貯留可能なグリス貯留部７０Ｓが配置される。【選択図】図３
2015004377.tif 000002
【特許請求の範囲】
【請求項１】
第１外周部と、前記第１外周部に対して軸方向に間隔をおいて配置され、前記第１外周部よりも小さな外径を備える第２外周部と、前記第１外周部と前記第２外周部との間に配置され、前記第１外周部から前記第２外周部に向かって外径が縮小されるテーパ部と、を備えるシャフト部と、
前記シャフト部が挿入される円筒状の挿入部を備え、前記シャフト部に回転可能に支持される回転体であって、
前記軸方向において前記挿入部の一端側に配置され、前記第１外周部に支持されるとともに、前記軸方向に沿って前記第１外周部および前記テーパ部を覆うように延設される第１内周部と、
前記軸方向において前記挿入部の他端側に配置され、前記第１内周部よりも小さな内径を備え、前記第２外周部に支持される第２内周部と、
を備える回転体と、
少なくとも前記第１内周部と前記テーパ部との間に形成され、潤滑剤を貯留可能な潤滑剤貯留部と、
を有することを特徴とする回転体支持装置。
【請求項２】
前記第２内周部は、前記第２外周部のうち前記テーパ部に隣接する領域が露出するように、前記軸方向において前記第２外周部よりも短く設定され、
前記第１内周部は、前記軸方向に沿って前記第２外周部の前記露出された領域を覆うように延設され、
前記潤滑剤貯留部は、前記第１内周部と、前記テーパ部および前記第２外周部との間に形成されることを特徴とする請求項１に記載の回転体支持装置。
【請求項３】
前記回転体は、前記挿入部よりも周方向外側に配置されたギア部を備える回転ギアであることを特徴とする請求項１または２に記載の回転体支持装置。
【請求項４】
前記回転体は、前記挿入部よりも周方向外側において、所定のベルトを支持するプーリーであることを特徴とする請求項１または２に記載の回転体支持装置。
【請求項５】
請求項１乃至４の何れか１項に記載の回転体支持装置と、
前記回転体から回転駆動力が伝達される被回転体と、
を有することを特徴とする電子機器。
【請求項６】
前記被回転体は、シートを搬送する搬送ローラーであることを特徴とする請求項５に記載の電子機器。
【請求項７】
第１外周部と、前記第１外周部に対して軸方向に間隔をおいて配置され、前記第１外周部よりも小さな外径を備える第２外周部と、前記第１外周部と前記第２外周部との間に配置され、前記第１外周部から前記第２外周部に向かって外径が縮小されるテーパ部と、を備えるシャフトが挿入される円筒状の挿入部を備え、前記シャフトに回転可能に支持される回転体であって、
前記軸方向において前記挿入部の一端側に配置され、前記第１外周部に支持されるとともに、前記軸方向に沿って前記第１外周部および前記テーパ部を覆うように延設される第１内周部と、
前記軸方向において前記挿入部の他端側に配置され、前記第１内周部よりも小さな内径を備え、前記第２外周部に支持される第２内周部と、
を備え、
少なくとも前記第１内周部と前記テーパ部との間に、潤滑剤が貯留される潤滑剤貯留部を形成可能であることを特徴とする回転体。
【請求項８】
前記第２内周部は、前記第２外周部のうち前記テーパ部に隣接する領域が露出するように、前記軸方向において前記第２外周部よりも短く設定され、
前記第１内周部は、前記軸方向に沿って前記第２外周部の前記露出された領域を覆うように延設されていることを特徴とする請求項７に記載の回転体。
【請求項９】
前記第１外周部と、前記第２外周部と、前記テーパ部と、を備え、請求項７または８に記載の前記回転体の前記挿入部に挿入され、前記回転体を回転可能に支持することを特徴とするシャフト。
【発明の詳細な説明】
【技術分野】
【０００１】
本発明は、回転体を回転可能に支持する回転体支持装置、およびこれを備えた電子機器、並びに回転体およびシャフトに関する。
【背景技術】
【０００２】
従来、回転体を支持する回転体支持装置として、特許文献１に記載された技術が知られている。該技術には、回転体支持装置として、画像形成装置の像担持体に回転駆動力を伝達するものが開示されている。回転体支持装置は、支持軸と、ギア部とを備える。支持軸は円柱形状からなり、支持基板から一の方向に突設される。ギア部は回転体として、支持軸回りに回転可能に支持される。モーターが発生した回転駆動力が、回転するギア部を介して像担持体に伝達される。
【先行技術文献】
【特許文献】
【０００３】
【特許文献１】特開平９−１９７７４１号公報
【発明の概要】
【発明が解決しようとする課題】
【０００４】
特許文献１に記載されたような回転体支持装置では、支持軸の外周面とギア部の内周面とが軸方向において平行に配置される。このため、ギア部の長期間の回転に伴って、支持軸の外周面に塗布されたグリスが軸方向の外側に流出し、枯渇しやすい。この結果、潤滑不良によって、ギア部の回転不良が生じるという課題があった。
【０００５】
本発明は、上記のような課題を解決するためになされたものであり、回転体の潤滑不良を防止し、長期間に亘って回転体を安定して回転させることが可能な回転体支持装置、およびこれを備えた電子機器、並びに前記回転体、前記回転体を支持するシャフトを提供することを目的とする。
【課題を解決するための手段】
【０００６】
本発明の一局面に係る回転体支持装置は、第１外周部と、前記第１外周部に対して軸方向に間隔をおいて配置され、前記第１外周部よりも小さな外径を備える第２外周部と、前記第１外周部と前記第２外周部との間に配置され、前記第１外周部から前記第２外周部に向かって外径が縮小されるテーパ部と、を備えるシャフト部と、前記シャフト部が挿入される円筒状の挿入部を備え、前記シャフト部に回転可能に支持される回転体であって、前記軸方向において前記挿入部の一端側に配置され、前記第１外周部に支持されるとともに、前記軸方向に沿って前記第１外周部および前記テーパ部を覆うように延設される第１内周部と、前記軸方向において前記挿入部の他端側に配置され、前記第１内周部よりも小さな内径を備え、前記第２外周部に支持される第２内周部と、を備える回転体と、少なくとも前記第１内周部と前記テーパ部との間に形成され、潤滑剤を貯留可能な潤滑剤貯留部と、を有することを特徴とする。
【０００７】
本構成によれば、シャフト部の第１外周部および第２外周部が、回転体の第１内周部および第２内周部を支持することで、回転体がシャフト部に回転可能に支持される。シャフト部のテーパ部は、第１外周部と第２外周部との間に配置され、第１外周部から第２外周部に向かってテーパ部の外径が縮小される。そして、第１内周部とテーパ部との間には、潤滑剤を貯留可能な潤滑剤貯留部が形成される。このため、潤滑剤貯留部に貯留された潤滑剤が、回転体の外側に流出しにくい。この結果、回転体の潤滑不良が防止され、長期間に亘って回転体を安定して回転させることができる。
【０００８】
上記の構成において、前記第２内周部は、前記第２外周部のうち前記テーパ部に隣接する領域が露出するように、前記軸方向において前記第２外周部よりも短く設定され、前記第１内周部は、前記軸方向に沿って前記第２外周部の前記露出された領域を覆うように延設され、前記潤滑剤貯留部は、前記第１内周部と、前記テーパ部および前記第２外周部との間に形成されることが望ましい。
【０００９】
本構成によれば、第２外周部の一部と第１内周部との間の空間を利用して、潤滑剤貯留部を広く設けることができる。
【００１０】
上記の構成において、前記回転体は、前記挿入部よりも周方向外側に配置されたギア部を備える回転ギアであることが望ましい。
【００１１】
本構成によれば、回転ギアの潤滑不良が防止され、長期間に亘って回転ギアを安定して回転させることができる。
【００１２】
上記の構成において、前記回転体は、前記挿入部よりも周方向外側において、所定のベルトを支持するプーリーであることが望ましい。
【００１３】
本構成によれば、プーリーの潤滑不良が防止され、長期間に亘ってプーリーを安定して回転させることができる。
【００１４】
本発明の他の局面に係る電子機器は、上記の何れか１に記載の回転体支持装置と、前記回転体から回転駆動力が伝達される被回転体と、を有することを特徴とする。
【００１５】
本構成によれば、回転体の潤滑不良が防止され、長期間に亘って回転体を安定して回転させることができる。この結果、電子機器の被回転体が安定して回転される。
【００１６】
上記の構成において、前記被回転体は、シートを搬送する搬送ローラーであることが望ましい。
【００１７】
本構成によれば、電子機器の搬送ローラーが安定して回転される。また、搬送ローラーはシートを搬送する機能を備えるため、回転体にかかる負荷が相対的に小さい。このため、回転体が第１外周部および第２外周部において部分的に支持される構成であっても、回転体およびシャフト部が破損しにくく、長期間に亘って安定して回転駆動力を伝達することが可能となる。
【００１８】
また、本発明の他の局面に係る回転体は、第１外周部と、前記第１外周部に対して軸方向に間隔をおいて配置され、前記第１外周部よりも小さな外径を備える第２外周部と、前記第１外周部と前記第２外周部との間に配置され、前記第１外周部から前記第２外周部に向かって外径が縮小されるテーパ部と、を備えるシャフトが挿入される円筒状の挿入部を備え、前記シャフト部に回転可能に支持される回転体であって、前記軸方向において前記挿入部の一端側に配置され、前記第１外周部に支持されるとともに、前記軸方向に沿って前記第１外周部および前記テーパ部を覆うように延設される第１内周部と、前記軸方向において前記挿入部の他端側に配置され、前記第１内周部よりも小さな内径を備え、前記第２外周部に支持される第２内周部と、を備え、少なくとも前記第１内周部と前記テーパ部との間に、潤滑剤が貯留される潤滑剤貯留部を形成可能であることを特徴とする。
【００１９】
本構成によれば、回転体の潤滑不良が防止され、長期間に亘って安定して回転される回転体が提供される。
【００２０】
上記の構成において、前記第２内周部は、前記第２外周部のうち前記テーパ部に隣接する領域が露出するように、前記軸方向において前記第２外周部よりも短く設定され、前記第１内周部は、前記軸方向に沿って前記第２外周部の前記露出された領域を覆うように延設されていることが望ましい。
【００２１】
本構成によれば、第２外周部の一部と第１内周部との間の空間を利用して、潤滑剤貯留部を広く設けることができる。
【００２２】
また、本発明の他の局面に係るシャフトは、前記第１外周部と、前記第２外周部と、前記テーパ部と、を備え、上記に記載の前記回転体の前記挿入部に挿入され、前記回転体を回転可能に支持することを特徴とする。
【００２３】
本構成によれば、回転体を長期に亘って安定して回転支持することができる。
【発明の効果】
【００２４】
本発明によれば、回転体の潤滑不良を防止し、長期間に亘って回転体を安定して回転させることが可能な回転体支持装置、およびこれを備えた電子機器、並びに前記回転体、前記回転体を支持するシャフトが提供される。
【図面の簡単な説明】
【００２５】
【図１】本発明の実施形態に係る画像形成装置の構造を示す模式的な断面図である。
【図２】本発明の実施形態に係る駆動伝達部の分解斜視図である。
【図３】本発明の実施形態に係る駆動伝達部の断面図である。
【発明を実施するための形態】
【００２６】
以下、図面に基づいて、本発明の実施形態につき詳細に説明する。図１は、本発明の一実施形態に係る画像形成装置１（電子機器）の内部構造を示す模式的な断面図である。ここでは、画像形成装置１として、プリンター機能と複写機能とを備えた複合機を例示するが、画像形成装置は、プリンター、複写機、ファクシミリ装置などであってもよい。
【００２７】
＜画像形成装置の説明＞
画像形成装置１は、略直方体形状の筐体構造を有する装置本体１０と、装置本体１０上に配置される自動原稿給送装置２０と、を備える。装置本体１０の内部には、複写する原稿画像を光学的に読み取る読取ユニット２５と、シートにトナー像を形成する画像形成部３０と、前記トナー像をシートに定着させる定着部６０と、画像形成部３０へ搬送される定型シートを貯留する給紙部４０と、定型シートを給紙部４０又は手差し給紙部４６から画像形成部３０及び定着部６０を経由してシート排出口１０Ｅまで搬送する搬送経路５０と、が収容されている。装置本体１０は、右側面１０Ｒを備える。右側面１０Ｒは、装置本体１０の右側の側壁である。
【００２８】
自動原稿給送装置（ＡＤＦ）２０は、装置本体１０の上面に回動自在に取り付けられている。ＡＤＦ２０は、装置本体１０における所定の原稿読取位置に向けて、複写される原稿シートを自動給送する。一方、ユーザーが手置きで原稿シートを所定の原稿読取位置に載置する場合は、ＡＤＦ２０は上方に開かれる。ＡＤＦ２０は、原稿シートが載置される原稿トレイ２１と、原稿読取位置を経由して原稿シートを搬送する原稿搬送部２２と、読取後の原稿シートが排出される原稿排出トレイ２３とを含む。
【００２９】
装置本体１０の上面には、ＡＤＦ２０から自動給送される原稿シートの読取用のコンタクトガラス、又は手置きされる原稿シートの読取用のコンタクトガラス（不図示）が配置される。読取ユニット２５は、これらのコンタクトガラスを通じて、原稿シートの画像を光学的に読み取る。なお、上記の自動原稿給送装置（ＡＤＦ）２０と読取ユニット２５とによって、画像読取装置２が構成される。
【００３０】
画像形成部３０は、公知の電子写真方式に基づいて、トナー画像を生成しこれをシート上に転写する処理を行う。なお、他の実施形態において、インクジェット方式などの他の画像形成方式が採用されてもよい。
【００３１】
画像形成部３０は、感光体ドラム３２１と、この感光体ドラム３２１の周囲に配置された、不図示の帯電器、露光器、現像装置、クリーニング装置などを含む。
【００３２】
感光体ドラム３２１は、その軸回りに回転し、その周面に静電潜像及びトナー像が形成される。帯電器は、感光体ドラム３２１の表面を均一に帯電する。露光器は、レーザー光源とミラーやレンズ等の光学系機器とを有し、感光体ドラム３２１の周面に、原稿画像の画像データに基づく光を照射して、静電潜像を形成する。現像装置は、感光体ドラム３２１上に形成された静電潜像を現像するために、感光体ドラム３２１の周面にトナーを供給する。クリーニング装置は、クリーニングローラー等を有し、トナー像転写後の感光体ドラム３２１の周面を清掃する。
【００３３】
感光体ドラム３２１に対向して、転写ローラー３５が配置されている。感光体ドラム３２１と転写ローラー３５との転写ニップ部において、感光体ドラム３２１上のトナー像がシートに転写される。転写ローラー３５には、トナー像と逆極性の二次転写バイアス電位が印加される。
【００３４】
給紙部４０は、画像形成処理が施されるシートのうち、定型シートＰを収容する２段の第１給紙カセット４０Ａ、第２給紙カセット４０Ｂを備える。これらの給紙カセットは、装置本体１０の前方から手前方向に引出可能である。
【００３５】
第１給紙カセット４０Ａは、定型シートＰが積層されてなるシート束を収納するシート収容部４１と、給紙のために前記シート束をリフトアップするリフト板４２とを備える。給紙カセット４０Ａの右端側の上部には、不図示のピックアップローラーと、給紙コロ４４とリタードローラー４５とのローラー対とが配置されている。ピックアップローラー及び給紙コロ４４の駆動により、給紙カセット４０Ａ内のシート束の最上層のシートＰが１枚ずつ繰り出され、搬送経路５０の上流端へ搬入される。なお、第２給紙カセット４０Ｂも、第１給紙カセット４０Ａと同様の構成を備える。
【００３６】
装置本体１０の右側面１０Ｒには、手差し給紙部４６が配置される。手差し給紙部４６は、手差し給紙用の手差しトレイ４６Ａと、給紙ローラー４６１とを備える。手差しトレイ４６Ａは、その下端部に配置された支点部７０１を支点として装置本体１０に対して開閉自在に取り付けられている。ユーザーは、手差し給紙を行う場合、図示の通り手差しトレイ４６Ａを開き、その上にシートを載置する。給紙ローラー４６１は、不図示の駆動手段によって回転駆動され、前記シートを手差しシート搬送路４６０に送り出す。更に、シートは手差しシート搬送路４６０から搬送経路５０に搬入される。
【００３７】
搬送経路５０は、給紙部４０から画像形成部３０および定着部６０を通過して、シート排出口１０Ｅまで延設されている。搬送経路５０の、転写ニップ部よりも上流側には、レジストローラー対５１が配置されている。シートは、停止状態のレジストローラー対５１にて一旦停止され、スキュー矯正が行われる。その後、画像転写のための所定のタイミングで、レジストローラー対５１が駆動部（図略）で回転駆動されることで、シートは転写ニップ部に送り出される。この他、搬送経路５０には、シートを搬送するための不図示のシート搬送ローラーが複数配置されている。
【００３８】
搬送経路５０の最下流端には、シートＰを搬送する排紙ローラー５３が配置されている。排紙ローラー５３は、シート排出口１０ＥからシートＰを排出する。シート排出口１０Ｅから排出されたシートＰは、排紙部１０Ｕに排紙され、積載される。
【００３９】
定着部６０は、シートにトナー像を定着させる定着処理を施す。不図示の定着ローラーに対して加圧ローラーが圧接され、定着ニップ部が形成されている。シートが定着ニップ部を通過することで、シートに転写されたトナー像が当該シートに定着される。
【００４０】
＜回転体支持装置について＞
次に、図２および図３を参照して、本実施形態に係る駆動伝達部７（回転体支持装置）について詳述する。図２は、本実施形態に係る駆動伝達部７の分解斜視図である。また、図３は、駆動伝達部７の断面図であって、シャフト部７１に駆動伝達ギア７０が装着された状態の断面図である。
【００４１】
駆動伝達部７は、前述の排紙ローラー５３（被回転体）に回転駆動力を伝達する。駆動伝達部７は、駆動伝達ギア７０（回転体）と、シャフト部７１（シャフト）とを備える。
【００４２】
駆動伝達ギア７０は、排紙ローラー５３に回転駆動力を伝達する。駆動伝達ギア７０は、シャフト部７１に回転可能に支持される。シャフト部７１は、駆動伝達ギア７０の回転軸となる。
【００４３】
更に、画像形成装置１は、支持フレーム１００と、対向フレーム１０２と、を備える（図３）。支持フレーム１００は、装置本体１０の後側の壁部に相当する。なお、図２では、支持フレーム１００の一部が部分的に図示されている。シャフト部７１は、支持フレーム１００から前方に向かって突設される。支持フレーム１００は、フレーム当接部１０１を備える。フレーム当接部１０１には、後記の円筒先端部７０Ａ１が当接する。対向フレーム１０２は、支持フレーム１００の前方に間隔をおいて配置される壁部である。対向フレーム１０２は、フレーム孔部１０３を備える。フレーム孔部１０３は、対向フレーム１０２に開口された孔部である。後記のとおり、フレーム孔部１０３にシャフト先端部７１４が挿通され、対向フレーム１０２がシャフト部７１のシャフト先端部７１４を支持する。
【００４４】
シャフト部７１は、第１シャフト部７１１（第１外周部）と、第２シャフト部７１２（第２外周部）と、テーパ部７１３と、シャフト先端部７１４とを備える。
【００４５】
第１シャフト部７１１は、シャフト部７１のうち最も支持フレーム１００側に位置する。第１シャフト部７１１は所定の外径を備える。また、第１シャフト部７１１はシャフト部７１の軸方向に所定の長さを備える（図３の領域Ｓ１）。また、第１シャフト部７１１の周面は、駆動伝達ギア７０の回転軸心ＲＬ（図３）と平行に延設される。
【００４６】
第２シャフト部７１２は、第１シャフト部７１１に対して軸方向に間隔をおいて配置される。第２シャフト部７１２は、第１シャフト部７１１よりも僅かに小さな外径を備える。また、第２シャフト部７１２はシャフト部７１の軸方向に所定の長さを備える（図３の領域Ｓ２）。また、第２シャフト部７１２の周面は、駆動伝達ギア７０の回転軸心ＲＬ（図３）と平行に延設される。
【００４７】
テーパ部７１３は、第１シャフト部７１１と第２シャフト部７１２との間に配置されている。テーパ部７１３は、第１シャフト部７１１の前縁と第２シャフト部７１２の後縁とを繋ぐ傾斜面であって、該傾斜面は第１シャフト部７１１から第２シャフト部７１２に向かって外径が縮小するように傾斜している。
【００４８】
シャフト先端部７１４は、シャフト部７１のうち支持フレーム１００とは反対側に位置する部分である。シャフト先端部７１４は、シャフト部７１の先端部である。シャフト先端部７１４の外径は第２シャフト部７１２の外径よりも僅かに小さく設定される。また、第２シャフト部７１２とシャフト先端部７１４との間には、段差部７１５が配置される。前述のようにシャフト先端部７１４は、対向フレーム１０２のフレーム孔部１０３に挿通される。
【００４９】
駆動伝達ギア７０は、円筒部７０Ａと、ギア部７０Ｂと、挿入部７０Ｃとを備える。
【００５０】
円筒部７０Ａは、駆動伝達ギア７０の中心部に配置され、駆動伝達ギア７０の回転における軸方向に延設される。円筒部７０Ａは、ギア部７０Ｂを軸方向に貫通するように延設される。円筒部７０Ａの内部には後記の挿入部７０Ｃが配置される。
【００５１】
ギア部７０Ｂは、円筒部７０Ａの回りに配置される。ギア部７０Ｂは略円板形状からなる。図２および図３には現れていないが、ギア部７０Ｂの外周部には、周方向に間隔をおいて配置される複数の平歯形状のギア歯が配置される。
【００５２】
挿入部７０Ｃ（図３）は、円筒状の円筒部７０Ａの内部に形成される空間部である。挿入部７０Ｃに、シャフト部７１が挿入される。
【００５３】
更に、駆動伝達ギア７０は、第１内周部７０１と、第２内周部７０２とを備える。
【００５４】
第１内周部７０１は、前記軸方向において挿入部７０Ｃの支持フレーム１００側（一端側）に配置される。第１内周部７０１は、第１シャフト部７１１に当接し、第１シャフト部７１１に支持される。また、第１内周部７０１は、前記軸方向に沿って第１シャフト部７１１およびテーパ部７１３を覆うように延設される。このため、図３に示すように、第１内周部７０１は、シャフト部７１の支持フレーム１００側から、対向フレーム１０２側まで延設されている。また、第１内周部７０１の内周面は、駆動伝達ギア７０の回転軸心ＲＬ（図３）と平行に延設される。
【００５５】
第２内周部７０２は、前記軸方向において挿入部７０Ｃの対向フレーム１０２側（他端側）に配置される。第２内周部７０２は、第１内周部７０１よりも小さな内径を備える。第２内周部７０２は、第２シャフト部７１２に当接し、第２シャフト部７１２に支持される。第２内周部７０２は、第１内周部７０１の対向フレーム１０２側の端部と段差をもって配置される。また、第２内周部７０２の内周面は、駆動伝達ギア７０の回転軸心ＲＬ（図３）と平行に延設される。
【００５６】
図３に示すように、支持フレーム１００から突設されたシャフト部７１に駆動伝達ギア７０が装着される。このとき、駆動伝達ギア７０の円筒先端部７０Ａ１がフレーム当接部１０１に当接する。また、シャフト部７１のシャフト先端部７１４は、駆動伝達ギア７０の第１内周部７０１および第２内周部７０２を貫通した後、対向フレーム１０２に開口されたフレーム孔部１０３に挿入される。このとき、段差部７１５が対向フレーム１０２の壁面に当接する。
【００５７】
そして、第１内周部７０１の支持フレーム１００側の端部は、第１シャフト部７１１に支持される。一方、第２内周部７０２は、第２シャフト部７１２の対向フレーム１０２側の端部に支持される。換言すれば、第２内周部７０２は、第２シャフト部７１２のうちテーパ部７１３に隣接する領域が露出するように、前記軸方向において第２シャフト部７１２よりも短く設定されている。また、第１内周部７０１は、軸方向に沿って、テーパ部７１３および第２シャフト部７１２の前記露出された領域を覆うように延設されている。
【００５８】
排紙ローラー５３を回転させるための不図示のモーターの駆動軸が、駆動伝達ギア７０のギア部７０Ｂの前記ギア歯に連結される。更に、排紙ローラー５３と同軸に配置された不図示の入力ギアが、同様に、駆動伝達ギア７０のギア部７０Ｂの前記ギア歯に連結される。なお、前記駆動軸と前記入力ギアとは、ギア部７０Ｂの周方向において異なる位置に配置され、前記ギア歯と係合される。かくして、前記モーターが発生した回転駆動力が、駆動伝達部７の駆動伝達ギア７０を介して、排紙ローラー５３に伝達される。
【００５９】
更に、本実施形態では、駆動伝達部７は、グリス貯留部７０Ｓ（潤滑剤貯留部）を備える。グリス貯留部７０Ｓは、図３に示すように、シャフト部７１と駆動伝達ギア７０Ｃとの間に形成された空間部である。詳しくは、グリス貯留部７０Ｓは、第１内周部７０１とテーパ部７１３との間に形成される。更に、グリス貯留部７０Ｓは、第１内周部７０１と第２シャフト部７１２との間に形成される。グリス貯留部７０Ｓは、潤滑剤を貯留可能とする機能を備える。すなわち、シャフト部７１に駆動伝達ギア７０が装着されるに先立って、予め、シャフト部７１の外周面、または、挿入部７０Ｃの内周面にグリスなどの潤滑剤が塗布される。そして、シャフト部７１に駆動伝達ギア７０が装着されると、前記グリスが、グリス貯留部７０Ｓに閉じ込められる。グリス貯留部７０Ｓの支持フレーム１００側は、第１内周部７０１と第１シャフト部７１１とによって封止されている。また、グリス貯留部７０Ｓの対向フレーム１０２側は、第２内周部７０２と第２シャフト部７１２とによって封止されている。このため、グリス貯留部７０Ｓに貯留されたグリスが、駆動伝達ギア７０の外側に流出しにくい。この結果、駆動伝達ギア７０の潤滑不良が防止され、長期間に亘って駆動伝達ギア７０を安定して回転させることができる。この際、上記のように、第２シャフト部７１２の一部が露出されることで、第２シャフト部７１２の一部と第１内周部７０１との間の空間を利用して、グリス貯留部７０Ｓを軸方向に広く設けることができる。
【００６０】
以上、本発明の実施形態に係る駆動伝達部７（回転体支持装置）およびこれを備えた画像形成装置１について説明したが、本発明はこれに限定されるものではなく、例えば次のような変形実施形態を採用することができる。
【００６１】
（１）上記の実施形態では、回転体支持装置の回転体として、回転ギアである駆動伝達ギア７０をもって説明したが、本発明はこれに限定されるものではない。すなわち、ギア部７０Ｂの外周部にはギア歯が配置されず、前記回転体が、回転される所定のベルトを支持するプーリーであってもよい。この場合であっても、プーリーの潤滑不良が防止され、長期間に亘ってプーリーを安定して回転させることができる。
【００６２】
（２）上記の実施形態では、第１内周部７０１が、径方向においてテーパ部７１３および第２シャフト部７１２の一部に対向して配置される態様にて説明したが、本発明はこれに限定されるものではない。第１内周部７０１は、径方向において第１シャフト部７１１およびテーパ部７１３に対向して配置され、第２シャフト部７１２には対向しない様に配置されてもよい。換言すれば、第２シャフト部７１２の軸方向全体に第２内周部７０２が当接する態様であってもよい。この場合であっても、テーパ部７１３と第１内周部７０１との間に形成されたグリス貯留部７０Ｓによって、グリスが長期にわたって貯留され、駆動伝達ギア７０の回転が安定して維持される。
【００６３】
（３）上記の実施形態では、テーパ部７１３の外径が連続的に縮小される態様にて説明したが本発明はこれに限定されるものではない。テーパ部７１３には、部分的にグリスの貯留能力を高めるために溝や凹部などが形成されてもよい。
【００６４】
（４）上記の実施形態では、駆動伝達ギア７０から回転駆動力が伝達される被回転体として、排紙ローラー５３を用いて説明したが、本発明はこれに限定されるものではない。被回転体として、その他の搬送ローラーや、現像ローラー、転写ローラーなどのローラーが適用されてもよい。なお、被回転体が搬送ローラー５３である場合、該搬送ローラー５３はシートを搬送する機能を備えるため、駆動伝達ギア７０にかかる負荷が相対的に小さい。このため、駆動伝達ギア７０が、第１シャフト部７１１および第２シャフト部７１２において部分的に支持される構成であっても、駆動伝達ギア７０およびシャフト部７１が破損しにくく、長期間に亘って安定して搬送ローラー５３に回転駆動力を伝達することが可能となる。
【００６５】
（５）また、上記の実施形態では、回転体支持装置を備える電子機器として、画像形成装置１を用いて説明したが本発明はこれに限定されるものではない。本発明が、回転体およびシャフトを備える他の電子機器に適用されてもよい。
【符号の説明】
【００６６】
１  画像形成装置（電子機器）
１０  装置本体
１０Ｒ  右側面
１００  支持フレーム
１０１  フレーム当接部
１０２  対向フレーム
１０３  フレーム孔部
２  画像読取装置
２０  自動原稿給送装置
２５  読取ユニット
３０  画像形成部
５３  排紙ローラー（被回転体）
７  駆動伝達部
７０  駆動伝達ギア（回転体）
７０１  第１内周部
７０２  第２内周部
７０Ａ  円筒部
７０Ａ１  円筒先端部
７０Ｂ  ギア部
７０Ｃ  挿入部
７０Ｓ  グリス貯留部（潤滑剤貯留部）
７１  シャフト部（シャフト）
７１１  第１シャフト部（第１外周部）
７１２  第２シャフト部（第２外周部）
７１３  テーパ部
７１４  シャフト先端部
７１５  段差部
【図１】
2015004377.tif 000003
【図２】
2015004377.tif 000004
【図３】
2015004377.tif 000005